(57)【要約】【課題】不正行為を招来することなく、簡単な手続で外部通信装置と無線通信を行うこと。【解決手段】本体キャビネット１１の内部に収納された商品を販売するための自動販売機１に適用され、携帯端末機器１００との間で近距離通信を行うことが可能な第１の通信手段４０，３１と、携帯端末機器１００との間で第１の通信手段４０，３１よりも遠距離かつ高速な無線通信を行うことが可能な第２の通信手段４０，３２とを備えた自動販売機１の通信装置であって、第１の通信手段４０，３１は、所定のアプリケーションソフトが起動された状態の携帯端末機器１００が通信可能領域に保持された場合に、携帯端末機器１００に対して第２の通信手段４０，３２との無線通信を行うための無線接続情報を与えるものであり、第２の無線通信手段は、無線接続情報を取得した携帯端末機器１００との間で無線通信を行うものである。【選択図】図３
2014096090.tif 000002
【特許請求の範囲】
【請求項１】
自動販売機本体の内部に収納された商品を販売するための自動販売機に適用され、
外部通信装置との間で近距離通信を行うことが可能な第１の通信手段と、
外部通信装置との間で前記第１の通信手段よりも遠距離かつ高速な無線通信を行うことが可能な第２の通信手段と
を備えた自動販売機の通信装置であって、
前記第１の通信手段は、所定のアプリケーションソフトが起動された状態の外部通信装置が通信可能領域に保持された場合に、該外部通信装置に対して前記第２の通信手段との無線通信を行うための無線接続情報を与えるものであり、
前記第２の無線通信手段は、前記無線接続情報を取得した外部通信装置との間で無線通信を行うことを特徴とする自動販売機の通信装置。
【請求項２】
前記第１の通信手段は、通信可能領域に保持された外部通信装置に対し、前回与えた無線接続情報とは秘匿性の保持に用いる秘密鍵が異なる新たな無線接続情報を与えるものであり、
前記第２の通信手段は、新たな無線接続情報を取得した外部通信装置との間で無線通信を行うことを特徴とする請求項１に記載の自動販売機の通信装置。
【請求項３】
前記第２の通信手段は、少なくとも商品の販売動作が行われた場合、あるいは無線通信を行ってから予め設定された時間が経過した場合に、前記外部通信装置との無線通信を解除することを特徴とする請求項１又は請求項２に記載の自動販売機の通信装置。
【請求項４】
前記第２の通信手段は、商品の販売動作が行われてから、予め決められた後処理が行われた場合、あるいは予め設定された時間が経過した場合に、前記外部通信装置との無線通信を解除することを特徴とする請求項１又は請求項２に記載の自動販売機の通信装置。
【請求項５】
前記第２の通信手段は、商品の販売動作が行われた場合、予め決められた特典情報を無線通信を行う外部通信装置に与えることを特徴とする請求項１〜４のいずれか１つに記載の自動販売機の通信装置。
【請求項６】
前記第２の通信手段は、無線通信を行う外部通信装置から被特典情報が与えられた場合、商品の販売動作を制御する販売制御部に該被特典情報を与えることで、商品を割引価格若しくは無償にて販売させることを特徴とする請求項１〜５のいずれか１つに記載の自動販売機の通信装置。
【請求項７】
前記第２の通信手段は、商品の販売動作が行われた場合に無線通信を行う外部通信装置に対して特典機能付きコンテンツ情報を与えるものであり、該外部通信装置から被特典情報が与えられた場合に商品の販売動作を制御する販売制御部に該被特典情報を与えることで特典商品を提供させることを特徴とする請求項１〜４のいずれか１つに記載の自動販売機の通信装置。
【請求項８】
前記第２の通信手段は、無線通信を行う外部通信装置から利用者情報が与えられた場合、該利用者情報が予め決められた管理者に該当するときには、該外部通信装置に商品の販売に関する情報を与えることを特徴とする請求項１又は請求項２に記載の自動販売機の通信装置。
【請求項９】
前記第２の通信手段は、前記商品の販売に関する情報を与えた場合に、前記外部通信装置との無線通信を解除することを特徴とする請求項８に記載の自動販売機の通信装置。
【請求項１０】
前記第２の通信手段は、前記自動販売機本体の前面開口を開閉する扉体が開移動させられることにより該前面開口が開状態となってから予め設定された時間が経過した場合に、前記外部通信装置との無線通信を解除することを特徴とする請求項８に記載の自動販売機の通信装置。
【請求項１１】
前記第２の通信手段は、前記自動販売機本体の前面開口を開閉する扉体が開閉移動させられることにより該前面開口が開状態から閉状態になった場合に、前記外部通信装置との無線通信を解除することを特徴とする請求項８に記載の自動販売機の通信装置。
【発明の詳細な説明】
【技術分野】
【０００１】
本発明は、自動販売機の通信装置に関し、より詳細には、自動販売機本体の内部に収納された商品を販売するための自動販売機に適用され、外部通信装置との間で近距離通信を行うことが可能な第１の通信手段と、外部通信装置との間で前記第１の通信手段よりも遠距離かつ高速な無線通信を行うことが可能な第２の通信手段とを備えた自動販売機の通信装置に関するものである。
【背景技術】
【０００２】
近年、無線通信によるデータ通信の普及は目覚しく、世界標準規格であるＩＥＥＥ８０２．１１ａ／ｂ／ｇ等で定められた無線ＬＡＮが広く普及している。このような無線通信の対象は自動販売機にも及び、例えば自動販売機と、外部通信装置である携帯端末機器との間での情報の伝送に無線通信が利用されつつある（例えば、特許文献１参照）。
【先行技術文献】
【特許文献】
【０００３】
【特許文献１】特開２００３−１６２７５８号公報
【発明の概要】
【発明が解決しようとする課題】
【０００４】
ところで、自動販売機と携帯端末機器との間で無線ＬＡＮによる無線通信を行う場合、携帯端末機器がＳＳＩＤや秘匿性の保持に用いる秘密鍵（ＷＥＰ用秘密鍵）等の無線接続情報を取得する必要がある。
【０００５】
そのため、利用者は、対象となる自動販売機との間で無線ＬＡＮによる無線通信を行う場合には、その都度携帯端末機器に無線接続情報を入力する必要があり、無線通信を行うための手続が煩雑なものとなっていた。
【０００６】
そこで、無線通信を行うための手続を簡単なものとするために、自動販売機が所定域内に存在する携帯端末機器にＳＳＩＤを与え、利用者が複数のＳＳＩＤの中から対象となる自動販売機のＳＳＩＤを選択することで、当該自動販売機と携帯端末機器との間で無線ＬＡＮによる無線通信を行うようにすることが考えられる。
【０００７】
しかしながら、自動販売機は、ロケーション毎に設置形態が異なるものであるが、多くの利用者に販売可能なロケーションでは複数台が並設されているのが一般的である。そのため、複数の自動販売機が並設されたロケーションにおいて、それぞれの自動販売機が無線ＬＡＮによる無線通信が可能な場合、利用者の携帯端末機器には複数のＳＳＩＤが与えられることになり、利用者にとっては所望の自動販売機のＳＳＩＤを特定することができず、結果的に無線ＬＡＮによる無線通信を行うことができない虞れがあった。また、このように秘密鍵を用いずにＳＳＩＤのみで無線ＬＡＮによる無線通信を行うようにすることは、自動販売機の利用者以外の者の携帯端末機器でも当該自動販売機との間で無線ＬＡＮによる無線通信が可能になり、不正行為を招来する虞れがあった。
【０００８】
本発明は、上記実情に鑑みて、不正行為を招来することなく、簡単な手続で外部通信装置と無線通信を行うことができる自動販売機の通信装置を提供することを目的とする。
【課題を解決するための手段】
【０００９】
上記目的を達成するために、本発明に係る自動販売機の通信装置は、自動販売機本体の内部に収納された商品を販売するための自動販売機に適用され、外部通信装置との間で近距離通信を行うことが可能な第１の通信手段と、外部通信装置との間で前記第１の通信手段よりも遠距離かつ高速な無線通信を行うことが可能な第２の通信手段とを備えた自動販売機の通信装置であって、前記第１の通信手段は、所定のアプリケーションソフトが起動された状態の外部通信装置が通信可能領域に保持された場合に、該外部通信装置に対して前記第２の通信手段との無線通信を行うための無線接続情報を与えるものであり、前記第２の無線通信手段は、前記無線接続情報を取得した外部通信装置との間で無線通信を行うことを特徴とする。
【００１０】
また、本発明は、上記自動販売機の通信装置において、前記第１の通信手段は、通信可能領域に保持された外部通信装置に対し、前回与えた無線接続情報とは秘匿性の保持に用いる秘密鍵が異なる新たな無線接続情報を与えるものであり、前記第２の通信手段は、新たな無線接続情報を取得した外部通信装置との間で無線通信を行うことを特徴とする。
【００１１】
また、本発明は、上記自動販売機の通信装置において、前記第２の通信手段は、少なくとも商品の販売動作が行われた場合、あるいは無線通信を行ってから予め設定された時間が経過した場合に、前記外部通信装置との無線通信を解除することを特徴とする。
【００１２】
また、本発明は、上記自動販売機の通信装置において、前記第２の通信手段は、商品の販売動作が行われてから、予め決められた後処理が行われた場合、あるいは予め設定された時間が経過した場合に、前記外部通信装置との無線通信を解除することを特徴とする。
【００１３】
また、本発明は、上記自動販売機の通信装置において、前記第２の通信手段は、商品の販売動作が行われた場合、予め決められた特典情報を無線通信を行う外部通信装置に与えることを特徴とする。
【００１４】
また、本発明は、上記自動販売機の通信装置において、前記第２の通信手段は、無線通信を行う外部通信装置から被特典情報が与えられた場合、商品の販売動作を制御する販売制御部に該被特典情報を与えることで、商品を割引価格若しくは無償にて販売させることを特徴とする。
【００１５】
また、本発明は、上記自動販売機の通信装置において、前記第２の通信手段は、商品の販売動作が行われた場合に無線通信を行う外部通信装置に対して特典機能付きコンテンツ情報を与えるものであり、該外部通信装置から被特典情報が与えられた場合に商品の販売動作を制御する販売制御部に該被特典情報を与えることで特典商品を提供させることを特徴とする。
【００１６】
また、本発明は、上記自動販売機の通信装置において、前記第２の通信手段は、無線通信を行う外部通信装置から利用者情報が与えられた場合、該利用者情報が予め決められた管理者に該当するときには、該外部通信装置に商品の販売に関する情報を与えることを特徴とする。
【００１７】
また、本発明は、上記自動販売機の通信装置において、前記第２の通信手段は、前記商品の販売に関する情報を与えた場合に、前記外部通信装置との無線通信を解除することを特徴とする。
【００１８】
また、本発明は、上記自動販売機の通信装置において、前記第２の通信手段は、前記自動販売機本体の前面開口を開閉する扉体が開移動させられることにより該前面開口が開状態となってから予め設定された時間が経過した場合に、前記外部通信装置との無線通信を解除することを特徴とする。
【００１９】
また、本発明は、上記自動販売機の通信装置において、前記第２の通信手段は、前記自動販売機本体の前面開口を開閉する扉体が開閉移動させられることにより該前面開口が開状態から閉状態になった場合に、前記外部通信装置との無線通信を解除することを特徴とする。
【発明の効果】
【００２０】
本発明によれば、第１の通信手段が、所定のアプリケーションソフトが起動された状態の外部通信装置が通信可能領域に保持された場合に、該外部通信装置に対して第２の通信手段との無線通信を行うための無線接続情報を与え、第２の無線通信手段が無線接続情報を取得した外部通信装置との間で無線通信を行うので、利用者にとっては外部通信装置を所定の通信可能領域に保持させる（翳す）だけで、外部通信装置に当該自動販売機との長距離かつ高速な無線通信を行うための無線接続情報を取得することができる。そして、取得した無線接続情報の入力操作により、該当する自動販売機との間で所望の無線通信を行うことができる。また、無線接続情報には、秘匿性の保持に用いられる秘密鍵が含まれているので不正行為を招来する虞れがない。従って、不正行為を招来することなく、簡単な手続で携帯端末機器と無線通信を行うことができるという効果を奏する。
【図面の簡単な説明】
【００２１】
【図１】図１は、本発明の実施の形態１である通信装置が適用された自動販売機を示す斜視図である。
【図２】図２は、本発明の実施の形態１である通信装置が適用された自動販売機の内部構造を示す斜視図である。
【図３】図３は、本発明の実施の形態１である通信装置が適用された自動販売機の制御系を模式的に示すブロック図である。
【図４】図４は、図１〜３に示した自動販売機が実施する近距離通信及び長距離通信の処理を示すシーケンス図である。
【図５】図５は、図１〜３に示した自動販売機が実施する近距離通信及び長距離通信の処理の他の例を示すシーケンス図である。
【図６】図６は、本発明の実施の形態２である通信装置が適用された自動販売機の制御系を模式的に示すブロック図である。
【図７】図７は、図６に示した自動販売機が実施する近距離通信及び長距離通信の処理を示すシーケンス図である。
【図８】図８は、本発明の実施の形態３である通信装置が適用された自動販売機の制御系を模式的に示すブロック図である。
【図９】図９は、図８に示した自動販売機が実施する近距離通信及び長距離通信の処理を示すシーケンス図である。
【図１０】図１０は、図８に示した自動販売機が実施する近距離通信及び長距離通信の処理の他の例を示すシーケンス図である。
【図１１】図１１は、本発明の実施の形態４である通信装置が適用された自動販売機の制御系を模式的に示すブロック図である。
【図１２】図１２は、図１１に示した自動販売機が実施する近距離通信及び長距離通信の処理を示すシーケンス図である。
【図１３】図１３は、本発明の実施の形態５である通信装置が適用された自動販売機の制御系を模式的に示すブロック図である。
【図１４】図１４は、図１３に示した自動販売機が実施する近距離通信及び長距離通信の処理を示すシーケンス図である。
【発明を実施するための形態】
【００２２】
以下に添付図面を参照して、本発明に係る自動販売機の通信装置の好適な実施の形態について詳細に説明する。
【００２３】
＜実施の形態１＞
図１〜図３は、それぞれ本発明の実施の形態１である通信装置が適用された自動販売機を示すものであり、図１は斜視図、図２は内部構造を示す斜視図、図３は制御系を模式的に示すブロック図である。ここに例示する自動販売機１は、例えば缶入り飲料やペットボトル入り飲料等の商品を販売するためのもので、自動販売機本体である本体キャビネット１１を備えている。
【００２４】
本体キャビネット１１の内部には、複数（図示の例では３つ）の独立した商品収容庫１２が左右に並設されている。これら商品収容庫１２は、缶入り飲料やペットボトル入り飲料等の商品を所望の温度に維持した状態で収容するものである。
【００２５】
各商品収容庫１２には、商品収納ラック１３、搬出機構１４及び搬出シュータ１５が設けられている。商品収納ラック１３は、商品を上下方向に沿って並ぶ態様で収納するためのものである。搬出機構１４は、商品収納ラック１３の下部に設けてあり、この商品収納ラック１３に収納された商品群の最下位にある商品を１つずつ搬出するためのものである。搬出シュータ１５は、搬出機構１４から搬出された商品を後述する商品取出口２２に導くためのものである。また、商品収容庫１２の搬出シュータ１５によって区画される下方には熱交換器（図示せず）が配設してあり、該熱交換器の駆動により、商品収納ラック１３に収納された飲料缶やペットボトルを所望の冷却温度、あるいは加熱温度に維持することが可能である。尚、本実施の形態においては、自動販売機１を正面から見た場合の左方を左側とし、自動販売機１を正面から見た場合の右方を右側として説明する。
【００２６】
上記自動販売機１には、本体キャビネット１１の左側縁部に扉体１６が設けられている。扉体１６は、本体キャビネット１１の前面開口を開閉するためのもので、内扉１６ａ及び外扉１６ｂを備えて構成されている。内扉１６ａは、本体キャビネット１１に設けられた商品収容庫１２の前面を覆うのに十分な大きさを有しており、断熱構造を有するものである。図示の例では、内扉１６ａを上下に分割し、それぞれを個別に開閉できるようにしてある。
【００２７】
外扉１６ｂは、本体キャビネット１１の前面開口を覆うのに十分な大きさを有したものである。この外扉１６ｂには、その前面側にディスプレイモニタ１７、硬貨投入口１８、紙幣挿入口１９、一体表示器２０、硬貨返却口２１、商品取出口２２が設けられている一方、その後面側には、硬貨処理機２３、硬貨回収箱２４、紙幣処理機２５が設けられている。
【００２８】
ディスプレイモニタ１７は、いわゆるタッチパネル式の表示画面であり、液晶表示画面の所定個所を指先で押圧すると、押圧個所に対応した信号を後述する自販機制御部３０に与える周知の構造を採用している。かかるディスプレイモニタ１７は、複数種類の商品見本を整列させて表示する表示手段としての機能を有している。このように商品見本を表示する場合には、それぞれの商品見本の下方個所に該商品見本に対応する商品がホット商品なのか、コールド商品なのかを示す冷温表示も併せて表示する。すなわち、ホット商品の商品見本には「ＨＯＴ」を表示し、コールド商品の商品見本には「ＣＯＬＤ」を表示している。また、ディスプレイモニタ１７は、商品選択手段としての機能も有しており、表示画面上のいずれかの商品見本を押圧すると、押圧個所に対応した信号が自販機制御部３０に与えられ、その後、該商品見本に対応する商品が所定条件の下で、本体キャビネット１１の内部から払い出されるようになっている。
【００２９】
硬貨投入口１８は、利用者が硬貨を投入するための開口である。この硬貨投入口１８を通じて投入された硬貨は、硬貨処理機２３においてその金種が識別され、その後硬貨回収箱２４に収容されることになる。紙幣挿入口１９は、利用者が紙幣を挿入するための開口である。この紙幣挿入口１９を通じて挿入された紙幣は、紙幣処理機２５においてその金種が識別されることになる。また上記紙幣挿入口１９は、紙幣処理機２５において識別できなかった紙幣を返却するための機能を有している。一体表示器２０は、貨幣の投入金額、販売中であるか否か、釣銭があるか否か等、各種情報を利用者に表示するためのものである。硬貨返却口２１は、硬貨処理機２３において識別できなかった硬貨、あるいは釣銭となる硬貨を利用者に返却するための開口である。商品取出口２２は、商品収納ラック１３から払い出された商品を利用者が受け取るための開口である。
【００３０】
次に、本実施の形態１である通信装置が適用された自動販売機１の制御系について説明する。上記自動販売機１は、自販機制御部３０、近距離通信部３１、長距離通信部３２及び制御部４０を備えている。
【００３１】
自販機制御部３０は、図示せぬ記憶部に記憶されたプログラムやデータにしたがって自動販売機１の販売動作を統括して制御するものである。
【００３２】
近距離通信部３１は、ＮＦＣ（Near  Field  Communication）等の近距離無線通信規格に対応した無線通信装置であり、例えばＦｅｌｉｃａ等の非接触ＩＣカードとアンテナ３１ａとにより構成されている。
【００３３】
長距離通信部３２は、近距離通信部３１よりも遠距離かつ高速な無線通信を行うことができるもので、例えばＩＥＥＥ８０２．１１ａ／ｂ／ｇの通信規格に対応する無線ＬＡＮとアンテナ３２ａとにより構成されている。
【００３４】
制御部４０は、自販機制御部３０とデータの送受信が可能な態様で電気的に接続されているとともに、近距離通信部３１及び長距離通信部３２とも電気的に接続されている。この制御部４０は、近距離通信部３１及び長距離通信部３２と通信装置を構成しており、メモリ６０に記憶された各種処理プログラムを実行するＣＰＵ等に実現され、通信設定制御部５１及び特典管理制御部５２を備えている。
【００３５】
通信設定制御部５１は、近距離通信部３１や長距離通信部３２を通じての通信処理を制御するものである。特典管理制御部５２は、予め決められた特典情報に応じた管理制御を行うものである。尚、本実施の形態１においては特典情報がポイントに関するものであるとして説明する。
【００３６】
一方、本実施の形態１である通信装置の通信対象となる外部通信装置について説明する。かかる外部通信装置は、例えばスマートフォン等の多機能の携帯端末機器１００であり、端末近距離通信部１３１、端末長距離通信部１３２及び端末制御部１４０を備えている。
【００３７】
端末近距離通信部１３１は、ＮＦＣ（Near  Field  Communication）等の近距離無線通信規格に対応した無線通信装置であり、例えばＦｅｌｉｃａ等の非接触ＩＣカードとアンテナ１３１ａとにより構成されている。
【００３８】
端末長距離通信部１３２は、端末近距離通信部１３１よりも遠距離かつ高速な無線通信を行うことができるもので、例えばＩＥＥＥ８０２．１１ａ／ｂ／ｇの通信規格に対応する無線ＬＡＮとアンテナ１３２ａとにより構成されている。
【００３９】
端末制御部１４０は、端末近距離通信部１３１及び端末長距離通信部１３２とも電気的に接続されており、携帯端末機器１００の各部の処理及び動作を制御するものである。
【００４０】
図４は、上述した自動販売機が実施する近距離通信及び長距離通信の処理を示すシーケンス図である。以下、この図４を参照しながら、本発明の実施の形態１である自動販売機１の通信装置の通信処理について説明する。
【００４１】
予め記憶されている所定のアプリケーションソフトが起動された携帯端末機器１００が近距離通信部３１の通信可能領域に保持されると（ＳＱ１０１，ＳＱ１０２）、制御部４０の通信設定制御部５１は、近距離通信部３１を通じて携帯端末機器１００と相互認証処理を行う（ＳＱ１０３）。相互認証が成立して携帯端末機器１００より無線接続情報が要求されると（ＳＱ１０４）、制御部４０の通信設定制御部５１は、無線接続情報を携帯端末機器１００に送信する（ＳＱ１０５）。ここで無線接続情報は、自動販売機１と携帯端末機器１００との間で無線ＬＡＮによる無線通信を行う場合に必要とされる情報で、ＳＳＩＤやパスワード（秘匿性の保持に用いる秘密鍵）等が含まれている。
【００４２】
このようにして自動販売機１の制御部４０と携帯端末機器１００との間で近距離通信が行われた後、次のようにして長距離通信が行われる。
【００４３】
携帯端末機器１００において取得したＳＳＩＤやパスワードの入力操作が行われることにより、携帯端末機器１００より長距離通信接続要求（無線ＬＡＮによる回線接続要求）が与えられると（ＳＱ１０６）、制御部４０の通信設定制御部５１は、長距離通信部３２を通じて携帯端末機器１００と相互認証処理を行う（ＳＱ１０７）。相互認証が成立すると、自動販売機１と携帯端末機器１００との間で無線ＬＡＮを利用した相互通信可能な状態になる（ＳＱ１０８）。
【００４４】
ところで、携帯端末機器１００の利用者により硬貨投入口１８又は紙幣挿入口１９を通じて金銭が投入されて硬貨処理機２３又は紙幣処理機２５にて処理されるとともに、ディスプレイモニタ１７を通じて所望の商品が選択されると（ＳＱ１０９，ＳＱ１１０）、自販機制御部３０は、搬出機構１４を駆動させて選択された商品を払い出し（ＳＱ１１１）、制御部４０に対して商品を販売した旨を送信する（ＳＱ１１２）。
【００４５】
自販機制御部３０より商品を販売した旨の信号を受信した制御部４０の特典管理制御部５２は、長距離通信部３２を通じてポイント加算情報（特典情報）を送信する（ＳＱ１１３）。このポイント加算情報を受信した携帯端末機器１００では、ポイント加算処理を行い、これを記憶する（ＳＱ１１４）。
【００４６】
携帯端末機器１００に対してポイント加算情報を送信した制御部４０の通信設定制御部５１は、長距離通信部３２を通じて携帯端末機器１００に対して無線ＬＡＮによる通信解除を行い（ＳＱ１１５）、これにより、自動販売機１と携帯端末機器１００との間の長距離通信が終了する。また、通信解除を行った制御部４０の通信設定制御部５１は、今回の無線接続情報に含まれるパスワードを異なるものに変更し（ＳＱ１１６）、新たな無線接続情報をメモリ６０に記憶させる。これにより、次回与えられる無線接続情報と今回の無線接続情報とはパスワードが異なるものとなる。
【００４７】
よって、制御部４０の通信設定制御部５１は、近距離通信部３１とともに、通信可能領域に保持された携帯端末機器１００に対し、前回与えた無線接続情報とはパスワードが異なる新たな無線接続情報を与えるものである。また、この通信設定制御部５１は、長距離通信部３２とともに、新たな無線接続情報を取得した携帯端末機器１００との間で無線通信を行うものである。
【００４８】
このように本実施の形態１においては、制御部４０と近距離通信部３１とが、携帯端末機器（外部通信装置）１００との間で近距離通信を行うことが可能な第１の通信手段を構成しており、制御部４０と長距離通信部３２とが、携帯端末機器（外部通信装置）１００との間で第１の通信手段よりも遠距離かつ高速な無線通信を行うことが可能な第２の通信手段を構成している。
【００４９】
以上説明したように、本実施の形態１である自動販売機１の通信装置によれば、制御部４０及び近距離通信部３１が、所定のアプリケーションソフトが起動された状態の携帯端末機器１００が通信可能領域に保持された場合に、該携帯端末機器１００に対して無線ＬＡＮによる無線通信を行うための無線接続情報を与え、制御部４０及び長距離通信部３２が、無線接続情報を取得した携帯端末機器１００との間で無線ＬＡＮによる無線通信を行うようにしたので、利用者にとっては携帯端末機器１００を近距離通信部３１の通信可能領域に保持させる（翳す）だけで、携帯端末機器１００に当該自動販売機１との無線ＬＡＮによる無線通信を行うための無線接続情報を取得することができる。そして、取得した無線接続情報の入力操作により、該当する自動販売機１との間で無線ＬＡＮによる無線通信を行うことができる。また、無線接続情報には、パスワードが含まれているので不正行為を招来する虞れがない。従って、不正行為を招来することなく、簡単な手続で携帯端末機器１００と無線通信を行うことができる。
【００５０】
また、上記自動販売機１の通信装置によれば、無線ＬＡＮによる無線通信が終了すると、無線接続情報に含まれるパスワードを異なるものに変更して新たな無線接続情報をメモリ６０に記憶させているので、制御部４０の通信設定制御部５１は、近距離通信部３１とともに、通信可能領域に保持された携帯端末機器１００に対し、前回与えた無線接続情報とはパスワードが異なる新たな無線接続情報を与える一方、長距離通信部３２とともに、新たな無線接続情報を取得した携帯端末機器１００との間で無線通信を行うこととなり、これにより無線ＬＡＮによる無線通信を行う度に無線接続情報を変更している。従って、より顕著に不正行為の防止を図ることができる。
【００５１】
また、上記自動販売機１の通信装置によれば、無線ＬＡＮによる無線通信を行うことで、利用者は携帯端末機器１００を手に持つ必要がなく商品の購入を行うことができるとともに、必要な情報を自動販売機１から得ることができ、しかも商品の購入に応じてポイント加算を受けることができるので、商品の販売機会の増大化を図ることができる。
【００５２】
上述した例では、商品の販売が行われた場合に、利用者の携帯端末機器１００にポイント加算を行う場合について説明したが、利用者が携帯端末機器１００に記憶されたポイントを利用する場合には次のように通信処理を行ってもよい。
【００５３】
図５は、自動販売機が実施する近距離通信及び長距離通信の処理を示すシーケンス図である。以下、この図５を参照しながら、本発明の実施の形態１である自動販売機１の通信装置の通信処理について説明する。
【００５４】
予め記憶されている所定のアプリケーションソフトが起動された携帯端末機器１００が近距離通信部３１の通信可能領域に保持されると（ＳＱ１２１，ＳＱ１２２）、制御部４０の通信設定制御部５１は、近距離通信部３１を通じて携帯端末機器１００と相互認証処理を行う（ＳＱ１２３）。相互認証が成立して携帯端末機器１００より無線接続情報が要求されると（ＳＱ１２４）、制御部４０の通信設定制御部５１は、無線接続情報を携帯端末機器１００に送信する（ＳＱ１２５）。ここで無線接続情報は、自動販売機１と携帯端末機器１００との間で無線ＬＡＮによる無線通信を行う場合に必要とされる情報で、ＳＳＩＤやパスワード（秘匿性の保持に用いる秘密鍵）等が含まれている。
【００５５】
このようにして自動販売機１の制御部４０と携帯端末機器１００との間で近距離通信が行われた後、次のようにして長距離通信が行われる。
【００５６】
携帯端末機器１００において取得したＳＳＩＤやパスワードの入力操作が行われることにより、携帯端末機器１００より長距離通信接続要求（無線ＬＡＮによる回線接続要求）が与えられると（ＳＱ１２６）、制御部４０の通信設定制御部５１は、長距離通信部３２を通じて携帯端末機器１００と相互認証処理を行う（ＳＱ１２７）。相互認証が成立すると、自動販売機１と携帯端末機器１００との間で無線ＬＡＮを利用した相互通信可能な状態になる（ＳＱ１２８）。
【００５７】
そして、携帯端末機器１００より該携帯端末機器１００に記憶されているポイント情報（被特典情報）が与えられると（ＳＱ１２９）、制御部４０は、自販機制御部３０に与えられたポイント情報を送信する（ＳＱ１３０）。
【００５８】
ポイント情報が与えられた自販機制御部３０は、かかるポイント情報に応じて商品価格の割引設定を行う（ＳＱ１３１）。その後、携帯端末機器１００の利用者により硬貨投入口１８又は紙幣挿入口１９を通じて金銭が投入されて硬貨処理機２３又は紙幣処理機２５にて処理されるとともに、ディスプレイモニタ１７を通じて所望の商品が選択されると（ＳＱ１３２，ＳＱ１３３）、自販機制御部３０は、搬出機構１４を駆動させて選択された商品を払い出し（ＳＱ１３４）、制御部４０に対して商品を販売した旨を送信する（ＳＱ１３５）。
【００５９】
自販機制御部３０より商品を販売した旨の信号を受信した制御部４０の特典管理制御部５２は、長距離通信部３２を通じてポイント減算情報を送信する（ＳＱ１３６）。このポイント減算情報を受信した携帯端末機器１００では、ポイント減算処理を行い、これを記憶する（ＳＱ１３７）。
【００６０】
携帯端末機器１００に対してポイント減算情報を送信した制御部４０の通信設定制御部５１は、長距離通信部３２を通じて携帯端末機器１００に対して無線ＬＡＮによる通信解除を行い（ＳＱ１３８）、これにより、自動販売機１と携帯端末機器１００との間の長距離通信が終了する。また、通信解除を行った制御部４０の通信設定制御部５１は、今回の無線接続情報に含まれるパスワードを異なるものに変更し（ＳＱ１３９）、新たな無線接続情報をメモリ６０に記憶させる。これにより、次回与えられる無線接続情報と今回の無線接続情報とはパスワードが異なるものとなる。
【００６１】
このような通信装置によっても、制御部４０及び近距離通信部３１が、所定のアプリケーションソフトが起動された状態の携帯端末機器１００が通信可能領域に保持された場合に、該携帯端末機器１００に対して無線ＬＡＮによる無線通信を行うための無線接続情報を与え、制御部４０及び長距離通信部３２が、無線接続情報を取得した携帯端末機器１００との間で無線ＬＡＮによる無線通信を行うようにしたので、利用者にとっては携帯端末機器１００を近距離通信部３１の通信可能領域に保持させる（翳す）だけで、携帯端末機器１００に当該自動販売機１との無線ＬＡＮによる無線通信を行うための無線接続情報を取得することができる。そして、取得した無線接続情報の入力操作により、該当する自動販売機１との間で無線ＬＡＮによる無線通信を行うことができる。また、無線接続情報には、パスワードが含まれているので不正行為を招来する虞れがない。従って、不正行為を招来することなく、簡単な手続で携帯端末機器１００と無線通信を行うことができる。
【００６２】
また、無線ＬＡＮによる無線通信が終了すると、無線接続情報に含まれるパスワードを異なるものに変更して新たな無線接続情報をメモリ６０に記憶させているので、制御部４０の通信設定制御部５１は、近距離通信部３１とともに、通信可能領域に保持された携帯端末機器１００に対し、前回与えた無線接続情報とはパスワードが異なる新たな無線接続情報を与える一方、長距離通信部３２とともに、新たな無線接続情報を取得した携帯端末機器１００との間で無線通信を行うこととなり、これにより無線ＬＡＮによる無線通信を行う度に無線接続情報を変更している。従って、より顕著に不正行為の防止を図ることができる。
【００６３】
また、上記通信装置によれば、無線ＬＡＮによる無線通信を行うことで、利用者は携帯端末機器１００を手に持つ必要がなく商品の購入を行うことができるとともに、必要な情報を自動販売機１から得ることができ、しかも自身が有するポイントによって商品価格の割引等のサービスを受けることができるので、商品の販売機会の増大化を図ることができる。
【００６４】
＜実施の形態２＞
図６は、本発明の実施の形態２である通信装置が適用された自動販売機の制御系を模式的に示すブロック図である。尚、上述した実施の形態１と同一の構成を有するものには同一の符号を付してその説明を適宜省略する。
【００６５】
ここで本実施の形態２である通信装置が適用された自動販売機２は、自販機制御部３０、近距離通信部３１、長距離通信部３２及び制御部４１を備えている。
【００６６】
自販機制御部３０は、図示せぬ記憶部に記憶されたプログラムやデータにしたがって自動販売機２の販売動作を統括して制御するものである。
【００６７】
近距離通信部３１は、ＮＦＣ（Near  Field  Communication）等の近距離無線通信規格に対応した無線通信装置であり、例えばＦｅｌｉｃａ等の非接触ＩＣカードとアンテナ３１ａとにより構成されている。
【００６８】
長距離通信部３２は、近距離通信部３１よりも遠距離かつ高速な無線通信を行うことができるもので、例えばＩＥＥＥ８０２．１１ａ／ｂ／ｇの通信規格に対応する無線ＬＡＮとアンテナ３２ａとにより構成されている。
【００６９】
制御部４１は、自販機制御部３０とデータの送受信が可能な態様で電気的に接続されているとともに、近距離通信部３１及び長距離通信部３２とも電気的に接続されている。この制御部４１は、近距離通信部３１及び長距離通信部３２と通信装置を構成しており、メモリ６１に記憶された各種処理プログラムを実行するＣＰＵ等に実現され、通信設定制御部５１及び特典管理制御部５３を備えている。
【００７０】
通信設定制御部５１は、近距離通信部３１や長距離通信部３２を通じての通信処理を制御するものである。特典管理制御部５３は、予め決められた被特典情報に応じた処理を行うもので、本実施の形態２においては被特典情報としてサービス提供を受ける会員情報であるものとして説明する。
【００７１】
図７は、本実施の形態２である通信装置が適用された自動販売機が実施する近距離通信及び長距離通信の処理を示すシーケンス図である。以下、この図７を参照しながら、本発明の実施の形態２である自動販売機２の通信装置の通信処理について説明する。
【００７２】
予め記憶されている所定のアプリケーションソフトが起動された携帯端末機器１００が近距離通信部３１の通信可能領域に保持されると（ＳＱ２０１，ＳＱ２０２）、制御部４１の通信設定制御部５１は、近距離通信部３１を通じて携帯端末機器１００と相互認証処理を行う（ＳＱ２０３）。相互認証が成立して携帯端末機器１００より無線接続情報が要求されると（ＳＱ２０４）、制御部４１の通信設定制御部５１は、無線接続情報を携帯端末機器１００に送信する（ＳＱ２０５）。ここで無線接続情報は、自動販売機２と携帯端末機器１００との間で無線ＬＡＮによる無線通信を行う場合に必要とされる情報で、ＳＳＩＤやパスワード（秘匿性の保持に用いる秘密鍵）等が含まれている。
【００７３】
このようにして自動販売機２の制御部４１と携帯端末機器１００との間で近距離通信が行われた後、次のようにして長距離通信が行われる。
【００７４】
携帯端末機器１００において取得したＳＳＩＤやパスワードの入力操作が行われることにより、携帯端末機器１００より長距離通信接続要求（無線ＬＡＮによる回線接続要求）が与えられると（ＳＱ２０６）、制御部４１の通信設定制御部５１は、長距離通信部３２を通じて携帯端末機器１００と相互認証処理を行う（ＳＱ２０７）。相互認証が成立すると、自動販売機２と携帯端末機器１００との間で無線ＬＡＮを利用した相互通信可能な状態になる（ＳＱ２０８）。
【００７５】
そして、携帯端末機器１００より該携帯端末機器１００に記憶されており、サービスの提供を受けることが可能な会員情報（被特典情報）が与えられると（ＳＱ２０９）、制御部４１は、自販機制御部３０に与えられた会員情報を送信する（ＳＱ２１０）。
【００７６】
会員情報が与えられた自販機制御部３０は、かかる会員情報に応じて商品価格の割引設定を行う（ＳＱ２１１）。その後、携帯端末機器１００の利用者により硬貨投入口１８又は紙幣挿入口１９を通じて金銭が投入されて硬貨処理機２３又は紙幣処理機２５にて処理されるとともに、ディスプレイモニタ１７を通じて所望の商品が選択されると（ＳＱ２１２，ＳＱ２１３）、自販機制御部３０は、搬出機構１４を駆動させて選択された商品を払い出し（ＳＱ２１４）、制御部４１に対して商品を販売した旨を送信する（ＳＱ２１５）。
【００７７】
自販機制御部３０より商品を販売した旨の信号を受信した制御部４１の通信設定制御部５１は、長距離通信部３２を通じて携帯端末機器１００に対して無線ＬＡＮによる通信解除を行い（ＳＱ２１６）、これにより、自動販売機２と携帯端末機器１００との間の長距離通信が終了する。また、通信解除を行った制御部４１の通信設定制御部５１は、今回の無線接続情報に含まれるパスワードを異なるものに変更し（ＳＱ２１７）、新たな無線接続情報をメモリ６１に記憶させる。これにより、次回与えられる無線接続情報と今回の無線接続情報とはパスワードが異なるものとなる。
【００７８】
このように本実施の形態２である通信装置によれば、制御部４１及び近距離通信部３１が、所定のアプリケーションソフトが起動された状態の携帯端末機器１００が通信可能領域に保持された場合に、該携帯端末機器１００に対して無線ＬＡＮによる無線通信を行うための無線接続情報を与え、制御部４１及び長距離通信部３２が、無線接続情報を取得した携帯端末機器１００との間で無線ＬＡＮによる無線通信を行うようにしたので、利用者にとっては携帯端末機器１００を近距離通信部３１の通信可能領域に保持させる（翳す）だけで、携帯端末機器１００に当該自動販売機２との無線ＬＡＮによる無線通信を行うための無線接続情報を取得することができる。そして、取得した無線接続情報の入力操作により、該当する自動販売機２との間で無線ＬＡＮによる無線通信を行うことができる。また、無線接続情報には、パスワードが含まれているので不正行為を招来する虞れがない。従って、不正行為を招来することなく、簡単な手続で携帯端末機器１００と無線通信を行うことができる。
【００７９】
また、無線ＬＡＮによる無線通信が終了すると、無線接続情報に含まれるパスワードを異なるものに変更して新たな無線接続情報をメモリ６１に記憶させているので、制御部４１の通信設定制御部５１は、近距離通信部３１とともに、通信可能領域に保持された携帯端末機器１００に対し、前回与えた無線接続情報とはパスワードが異なる新たな無線接続情報を与える一方、長距離通信部３２とともに、新たな無線接続情報を取得した携帯端末機器１００との間で無線通信を行うこととなり、これにより無線ＬＡＮによる無線通信を行う度に無線接続情報を変更している。従って、より顕著に不正行為の防止を図ることができる。
【００８０】
また、上記通信装置によれば、無線ＬＡＮによる無線通信を行うことで、利用者は携帯端末機器１００を手に持つ必要がなく商品の購入を行うことができるとともに、必要な情報を自動販売機２から得ることができ、しかも会員情報を送信することによって商品価格の割引等のサービスを受けることができるので、商品の販売機会の増大化を図ることができる。
【００８１】
＜実施の形態３＞
図８は、本発明の実施の形態３である通信装置が適用された自動販売機の制御系を模式的に示すブロック図である。尚、上述した実施の形態１及び実施の形態２と同一の構成を有するものには同一の符号を付してその説明を適宜省略する。
【００８２】
ここで本実施の形態３である通信装置が適用された自動販売機３は、自販機制御部３０、近距離通信部３１、長距離通信部３２及び制御部４２を備えている。
【００８３】
自販機制御部３０は、図示せぬ記憶部に記憶されたプログラムやデータにしたがって自動販売機３の販売動作を統括して制御するものである。
【００８４】
近距離通信部３１は、ＮＦＣ（Near  Field  Communication）等の近距離無線通信規格に対応した無線通信装置であり、例えばＦｅｌｉｃａ等の非接触ＩＣカードとアンテナ３１ａとにより構成されている。
【００８５】
長距離通信部３２は、近距離通信部３１よりも遠距離かつ高速な無線通信を行うことができるもので、例えばＩＥＥＥ８０２．１１ａ／ｂ／ｇの通信規格に対応する無線ＬＡＮとアンテナ３２ａとにより構成されている。
【００８６】
制御部４２は、自販機制御部３０とデータの送受信が可能な態様で電気的に接続されているとともに、近距離通信部３１及び長距離通信部３２とも電気的に接続されている。この制御部４２は、近距離通信部３１及び長距離通信部３２と通信装置を構成しており、メモリ６２に記憶された各種処理プログラムを実行するＣＰＵ等に実現され、通信設定制御部５１及び特典管理制御部５４を備えている。
【００８７】
通信設定制御部５１は、近距離通信部３１や長距離通信部３２を通じての通信処理を制御するものである。特典管理制御部５４は、予め決められた特典情報に応じた管理制御を行うものである。尚、本実施の形態３においては特典情報がクーポンに関するものであるとして説明する。
【００８８】
図９は、上述した自動販売機が実施する近距離通信及び長距離通信の処理を示すシーケンス図である。以下、この図９を参照しながら、本発明の実施の形態３である自動販売機３の通信装置の通信処理について説明する。
【００８９】
予め記憶されている所定のアプリケーションソフトが起動された携帯端末機器１００が近距離通信部３１の通信可能領域に保持されると（ＳＱ３０１，ＳＱ３０２）、制御部４２の通信設定制御部５１は、近距離通信部３１を通じて携帯端末機器１００と相互認証処理を行う（ＳＱ３０３）。相互認証が成立して携帯端末機器１００より無線接続情報が要求されると（ＳＱ３０４）、制御部４２の通信設定制御部５１は、無線接続情報を携帯端末機器１００に送信する（ＳＱ３０５）。ここで無線接続情報は、自動販売機３と携帯端末機器１００との間で無線ＬＡＮによる無線通信を行う場合に必要とされる情報で、ＳＳＩＤやパスワード（秘匿性の保持に用いる秘密鍵）等が含まれている。
【００９０】
このようにして自動販売機３の制御部４２と携帯端末機器１００との間で近距離通信が行われた後、次のようにして長距離通信が行われる。
【００９１】
携帯端末機器１００において取得したＳＳＩＤやパスワードの入力操作が行われることにより、携帯端末機器１００より長距離通信接続要求（無線ＬＡＮによる回線接続要求）が与えられると（ＳＱ３０６）、制御部４２の通信設定制御部５１は、長距離通信部３２を通じて携帯端末機器１００と相互認証処理を行う（ＳＱ３０７）。相互認証が成立すると、自動販売機３と携帯端末機器１００との間で無線ＬＡＮを利用した相互通信可能な状態になる（ＳＱ３０８）。
【００９２】
ところで、携帯端末機器１００の利用者により硬貨投入口１８又は紙幣挿入口１９を通じて金銭が投入されて硬貨処理機２３又は紙幣処理機２５にて処理されるとともに、ディスプレイモニタ１７を通じて所望の商品が選択されると（ＳＱ３０９，ＳＱ３１０）、自販機制御部３０は、搬出機構１４を駆動させて選択された商品を払い出し（ＳＱ３１１）、制御部４２に対して商品を販売した旨を送信する（ＳＱ３１２）。
【００９３】
自販機制御部３０より商品を販売した旨の信号を受信した制御部４２の特典管理制御部５４は、長距離通信部３２を通じてクーポン発行情報（特典情報）を送信する（ＳＱ３１３）。このクーポン発行情報を受信した携帯端末機器１００では、クーポン情報を記憶する（ＳＱ３１４）。
【００９４】
携帯端末機器１００に対してクーポン発行情報を送信した制御部４２の通信設定制御部５１は、長距離通信部３２を通じて携帯端末機器１００に対して無線ＬＡＮによる通信解除を行い（ＳＱ３１５）、これにより、自動販売機３と携帯端末機器１００との間の長距離通信が終了する。また、通信解除を行った制御部４２の通信設定制御部５１は、今回の無線接続情報に含まれるパスワードを異なるものに変更し（ＳＱ３１６）、新たな無線接続情報をメモリ６２に記憶させる。これにより、次回与えられる無線接続情報と今回の無線接続情報とはパスワードが異なるものとなる。
【００９５】
よって、制御部４２の通信設定制御部５１は、近距離通信部３１とともに、通信可能領域に保持された携帯端末機器１００に対し、前回与えた無線接続情報とはパスワードが異なる新たな無線接続情報を与えるものである。また、この通信設定制御部５１は、長距離通信部３２とともに、新たな無線接続情報を取得した携帯端末機器１００との間で無線通信を行うものである。
【００９６】
以上説明したように、本実施の形態３である自動販売機３の通信装置によれば、制御部４２及び近距離通信部３１が、所定のアプリケーションソフトが起動された状態の携帯端末機器１００が通信可能領域に保持された場合に、該携帯端末機器１００に対して無線ＬＡＮによる無線通信を行うための無線接続情報を与え、制御部４２及び長距離通信部３２が、無線接続情報を取得した携帯端末機器１００との間で無線ＬＡＮによる無線通信を行うようにしたので、利用者にとっては携帯端末機器１００を近距離通信部３１の通信可能領域に保持させる（翳す）だけで、携帯端末機器１００に当該自動販売機３との無線ＬＡＮによる無線通信を行うための無線接続情報を取得することができる。そして、取得した無線接続情報の入力操作により、該当する自動販売機３との間で無線ＬＡＮによる無線通信を行うことができる。また、無線接続情報には、パスワードが含まれているので不正行為を招来する虞れがない。従って、不正行為を招来することなく、簡単な手続で携帯端末機器１００と無線通信を行うことができる。
【００９７】
また、上記自動販売機３の通信装置によれば、無線ＬＡＮによる無線通信が終了すると、無線接続情報に含まれるパスワードを異なるものに変更して新たな無線接続情報をメモリ６２に記憶させているので、制御部４２の通信設定制御部５１は、近距離通信部３１とともに、通信可能領域に保持された携帯端末機器１００に対し、前回与えた無線接続情報とはパスワードが異なる新たな無線接続情報を与える一方、長距離通信部３２とともに、新たな無線接続情報を取得した携帯端末機器１００との間で無線通信を行うこととなり、これにより無線ＬＡＮによる無線通信を行う度に無線接続情報を変更している。従って、より顕著に不正行為の防止を図ることができる。
【００９８】
また、上記自動販売機３の通信装置によれば、無線ＬＡＮによる無線通信を行うことで、利用者は携帯端末機器１００を手に持つ必要がなく商品の購入を行うことができるとともに、必要な情報を自動販売機３から得ることができ、しかも商品の購入に応じてクーポンの発行を受けることができるので、商品の販売機会の増大化を図ることができる。
【００９９】
上述した例では、商品の販売が行われた場合に、利用者の携帯端末機器１００にクーポンの発行を行う場合について説明したが、利用者が携帯端末機器１００に記憶されたクーポンを利用する場合には次のように通信処理を行ってもよい。
【０１００】
図１０は、自動販売機３が実施する近距離通信及び長距離通信の処理を示すシーケンス図である。以下、この図１０を参照しながら、本発明の実施の形態３である自動販売機３の通信装置の通信処理について説明する。
【０１０１】
予め記憶されている所定のアプリケーションソフトが起動された携帯端末機器１００が近距離通信部３１の通信可能領域に保持されると（ＳＱ３２１，ＳＱ３２２）、制御部４２の通信設定制御部５１は、近距離通信部３１を通じて携帯端末機器１００と相互認証処理を行う（ＳＱ３２３）。相互認証が成立して携帯端末機器１００より無線接続情報が要求されると（ＳＱ３２４）、制御部４２の通信設定制御部５１は、無線接続情報を携帯端末機器１００に送信する（ＳＱ３２５）。ここで無線接続情報は、自動販売機３と携帯端末機器１００との間で無線ＬＡＮによる無線通信を行う場合に必要とされる情報で、ＳＳＩＤやパスワード（秘匿性の保持に用いる秘密鍵）等が含まれている。
【０１０２】
このようにして自動販売機３の制御部４２と携帯端末機器１００との間で近距離通信が行われた後、次のようにして長距離通信が行われる。
【０１０３】
携帯端末機器１００において取得したＳＳＩＤやパスワードの入力操作が行われることにより、携帯端末機器１００より長距離通信接続要求（無線ＬＡＮによる回線接続要求）が与えられると（ＳＱ３２６）、制御部４２の通信設定制御部５１は、長距離通信部３２を通じて携帯端末機器１００と相互認証処理を行う（ＳＱ３２７）。相互認証が成立すると、自動販売機３と携帯端末機器１００との間で無線ＬＡＮを利用した相互通信可能な状態になる（ＳＱ３２８）。
【０１０４】
そして、携帯端末機器１００より該携帯端末機器１００に記憶されているクーポン情報（被特典情報）が与えられると（ＳＱ３２９）、制御部４２は、自販機制御部３０に与えられたクーポン情報を送信する（ＳＱ３３０）。
【０１０５】
クーポン情報が与えられた自販機制御部３０は、かかるクーポン情報に応じて商品価格の割引設定を行う（ＳＱ３３１）。その後、携帯端末機器１００の利用者により硬貨投入口１８又は紙幣挿入口１９を通じて金銭が投入されて硬貨処理機２３又は紙幣処理機２５にて処理されるとともに、ディスプレイモニタ１７を通じて所望の商品が選択されると（ＳＱ３３２，ＳＱ３３３）、自販機制御部３０は、搬出機構１４を駆動させて選択された商品を払い出し（ＳＱ３３４）、制御部４２に対して商品を販売した旨を送信する（ＳＱ３３５）。
【０１０６】
自販機制御部３０より商品を販売した旨の信号を受信した制御部４２の特典管理制御部５４は、長距離通信部３２を通じてクーポン削除依頼を送信する（ＳＱ３３６）。このクーポン削除依頼を受信した携帯端末機器１００では、クーポン削除処理を行い、これを記憶する（ＳＱ３３７）。
【０１０７】
携帯端末機器１００に対してクーポン削除依頼を送信した制御部４２の通信設定制御部５１は、長距離通信部３２を通じて携帯端末機器１００に対して無線ＬＡＮによる通信解除を行い（ＳＱ３３８）、これにより、自動販売機３と携帯端末機器１００との間の長距離通信が終了する。また、通信解除を行った制御部４２の通信設定制御部５１は、今回の無線接続情報に含まれるパスワードを異なるものに変更し（ＳＱ３３９）、新たな無線接続情報をメモリ６２に記憶させる。これにより、次回与えられる無線接続情報と今回の無線接続情報とはパスワードが異なるものとなる。
【０１０８】
このような通信装置によっても、制御部４２及び近距離通信部３１が、所定のアプリケーションソフトが起動された状態の携帯端末機器１００が通信可能領域に保持された場合に、該携帯端末機器１００に対して無線ＬＡＮによる無線通信を行うための無線接続情報を与え、制御部４２及び長距離通信部３２が、無線接続情報を取得した携帯端末機器１００との間で無線ＬＡＮによる無線通信を行うようにしたので、利用者にとっては携帯端末機器１００を近距離通信部３１の通信可能領域に保持させる（翳す）だけで、携帯端末機器１００に当該自動販売機３との無線ＬＡＮによる無線通信を行うための無線接続情報を取得することができる。そして、取得した無線接続情報の入力操作により、該当する自動販売機３との間で無線ＬＡＮによる無線通信を行うことができる。また、無線接続情報には、パスワードが含まれているので不正行為を招来する虞れがない。従って、不正行為を招来することなく、簡単な手続で携帯端末機器１００と無線通信を行うことができる。
【０１０９】
また、無線ＬＡＮによる無線通信が終了すると、無線接続情報に含まれるパスワードを異なるものに変更して新たな無線接続情報をメモリ６２に記憶させているので、制御部４２の通信設定制御部５１は、近距離通信部３１とともに、通信可能領域に保持された携帯端末機器１００に対し、前回与えた無線接続情報とはパスワードが異なる新たな無線接続情報を与える一方、長距離通信部３２とともに、新たな無線接続情報を取得した携帯端末機器１００との間で無線通信を行うこととなり、これにより無線ＬＡＮによる無線通信を行う度に無線接続情報を変更している。従って、より顕著に不正行為の防止を図ることができる。
【０１１０】
また、上記通信装置によれば、無線ＬＡＮによる無線通信を行うことで、利用者は携帯端末機器１００を手に持つ必要がなく商品の購入を行うことができるとともに、必要な情報を自動販売機３から得ることができ、しかも自身が有するクーポンによって商品価格の割引等のサービスを受けることができるので、商品の販売機会の増大化を図ることができる。
【０１１１】
＜実施の形態４＞
図１１は、本発明の実施の形態４である通信装置が適用された自動販売機の制御系を模式的に示すブロック図である。尚、上述した実施の形態１〜３と同一の構成を有するものには同一の符号を付してその説明を適宜省略する。
【０１１２】
ここで本実施の形態４である通信装置が適用された自動販売機４は、自販機制御部３０、近距離通信部３１、長距離通信部３２及び制御部４３を備えている。
【０１１３】
自販機制御部３０は、図示せぬ記憶部に記憶されたプログラムやデータにしたがって自動販売機４の販売動作を統括して制御するものである。
【０１１４】
近距離通信部３１は、ＮＦＣ（Near  Field  Communication）等の近距離無線通信規格に対応した無線通信装置であり、例えばＦｅｌｉｃａ等の非接触ＩＣカードとアンテナ３１ａとにより構成されている。
【０１１５】
長距離通信部３２は、近距離通信部３１よりも遠距離かつ高速な無線通信を行うことができるもので、例えばＩＥＥＥ８０２．１１ａ／ｂ／ｇの通信規格に対応する無線ＬＡＮとアンテナ３２ａとにより構成されている。
【０１１６】
制御部４３は、自販機制御部３０とデータの送受信が可能な態様で電気的に接続されているとともに、近距離通信部３１及び長距離通信部３２とも電気的に接続されている。この制御部４３は、近距離通信部３１及び長距離通信部３２と通信装置を構成しており、メモリ６３に記憶された各種処理プログラムを実行するＣＰＵ等に実現され、通信設定制御部５１及び特典管理制御部５５を備えている。
【０１１７】
通信設定制御部５１は、近距離通信部３１や長距離通信部３２を通じての通信処理を制御するものである。特典管理制御部５５は、予め決められた特典機能付きコンテンツ情報に応じた管理制御を行うものである。尚、本実施の形態４においては特典機能付きコンテンツ情報がルーレットに関するものであるとして説明する。
【０１１８】
図１２は、上述した自動販売機４が実施する近距離通信及び長距離通信の処理を示すシーケンス図である。以下、この図１２を参照しながら、本発明の実施の形態４である自動販売機４の通信装置の通信処理について説明する。
【０１１９】
予め記憶されている所定のアプリケーションソフトが起動された携帯端末機器１００が近距離通信部３１の通信可能領域に保持されると（ＳＱ４０１，ＳＱ４０２）、制御部４３の通信設定制御部５１は、近距離通信部３１を通じて携帯端末機器１００と相互認証処理を行う（ＳＱ４０３）。相互認証が成立して携帯端末機器１００より無線接続情報が要求されると（ＳＱ４０４）、制御部４３の通信設定制御部５１は、無線接続情報を携帯端末機器１００に送信する（ＳＱ４０５）。ここで無線接続情報は、自動販売機４と携帯端末機器１００との間で無線ＬＡＮによる無線通信を行う場合に必要とされる情報で、ＳＳＩＤやパスワード（秘匿性の保持に用いる秘密鍵）等が含まれている。
【０１２０】
このようにして自動販売機４の制御部４３と携帯端末機器１００との間で近距離通信が行われた後、次のようにして長距離通信が行われる。
【０１２１】
携帯端末機器１００において取得したＳＳＩＤやパスワードの入力操作が行われることにより、携帯端末機器１００より長距離通信接続要求（無線ＬＡＮによる回線接続要求）が与えられると（ＳＱ４０６）、制御部４３の通信設定制御部５１は、長距離通信部３２を通じて携帯端末機器１００と相互認証処理を行う（ＳＱ４０７）。相互認証が成立すると、自動販売機４と携帯端末機器１００との間で無線ＬＡＮを利用した相互通信可能な状態になる（ＳＱ４０８）。
【０１２２】
ところで、携帯端末機器１００の利用者により硬貨投入口１８又は紙幣挿入口１９を通じて金銭が投入されて硬貨処理機２３又は紙幣処理機２５にて処理されるとともに、ディスプレイモニタ１７を通じて所望の商品が選択されると（ＳＱ４０９，ＳＱ４１０）、自販機制御部３０は、搬出機構１４を駆動させて選択された商品を払い出し（ＳＱ４１１）、制御部４３に対して商品を販売した旨を送信する（ＳＱ４１２）。
【０１２３】
自販機制御部３０より商品を販売した旨の信号を受信した制御部４３の特典管理制御部５５は、長距離通信部３２を通じて特典機能付きコンテンツ情報としてのルーレット起動情報を送信する（ＳＱ４１３）。このルーレット起動情報を受信した携帯端末機器１００では、図示せぬ表示部においてルーレットが表示されて起動する（ＳＱ４１４）。
【０１２４】
かかるルーレットが起動して「当たり」となった場合、携帯端末機器１００より当たり情報（被特典情報）が与えられる（ＳＱ４１５）。
【０１２５】
当たり情報を受信した制御部４３の特典管理制御部５５は、自販機制御部３０に対して特典商品販売情報を送信する（ＳＱ４１６）。
【０１２６】
特典商品販売情報が与えられた自販機制御部３０は、ディスプレイモニタ１７を通じて商品の選択を促し、所望の商品が選択されると（ＳＱ４１７）、搬出機構１４を駆動させて選択された特典商品を払い出し（ＳＱ４１８）、制御部４３に対して特典商品を払い出した旨を送信する（ＳＱ４１９）。
【０１２７】
自販機制御部３０より特典商品を払い出した旨の信号を受信した制御部４３の通信設定制御部５１は、長距離通信部３２を通じて携帯端末機器１００に対して無線ＬＡＮによる通信解除を行い（ＳＱ４２０）、これにより、自動販売機４と携帯端末機器１００との間の長距離通信が終了する。また、通信解除を行った制御部４３の通信設定制御部５１は、今回の無線接続情報に含まれるパスワードを異なるものに変更し（ＳＱ４２１）、新たな無線接続情報をメモリ６３に記憶させる。これにより、次回与えられる無線接続情報と今回の無線接続情報とはパスワードが異なるものとなる。
【０１２８】
よって、制御部４３の通信設定制御部５１は、近距離通信部３１とともに、通信可能領域に保持された携帯端末機器１００に対し、前回与えた無線接続情報とはパスワードが異なる新たな無線接続情報を与えるものである。また、この通信設定制御部５１は、長距離通信部３２とともに、新たな無線接続情報を取得した携帯端末機器１００との間で無線通信を行うものである。
【０１２９】
以上説明したように、本実施の形態４である自動販売機４の通信装置によれば、制御部４３及び近距離通信部３１が、所定のアプリケーションソフトが起動された状態の携帯端末機器１００が通信可能領域に保持された場合に、該携帯端末機器１００に対して無線ＬＡＮによる無線通信を行うための無線接続情報を与え、制御部４３及び長距離通信部３２が、無線接続情報を取得した携帯端末機器１００との間で無線ＬＡＮによる無線通信を行うようにしたので、利用者にとっては携帯端末機器１００を近距離通信部３１の通信可能領域に保持させる（翳す）だけで、携帯端末機器１００に当該自動販売機４との無線ＬＡＮによる無線通信を行うための無線接続情報を取得することができる。そして、取得した無線接続情報の入力操作により、該当する自動販売機４との間で無線ＬＡＮによる無線通信を行うことができる。また、無線接続情報には、パスワードが含まれているので不正行為を招来する虞れがない。従って、不正行為を招来することなく、簡単な手続で携帯端末機器１００と無線通信を行うことができる。
【０１３０】
また、上記自動販売機４の通信装置によれば、無線ＬＡＮによる無線通信が終了すると、無線接続情報に含まれるパスワードを異なるものに変更して新たな無線接続情報をメモリ６３に記憶させているので、制御部４３の通信設定制御部５１は、近距離通信部３１とともに、通信可能領域に保持された携帯端末機器１００に対し、前回与えた無線接続情報とはパスワードが異なる新たな無線接続情報を与える一方、長距離通信部３２とともに、新たな無線接続情報を取得した携帯端末機器１００との間で無線通信を行うこととなり、これにより無線ＬＡＮによる無線通信を行う度に無線接続情報を変更している。従って、より顕著に不正行為の防止を図ることができる。
【０１３１】
また、上記自動販売機４の通信装置によれば、無線ＬＡＮによる無線通信を行うことで、利用者は携帯端末機器１００を手に持つ必要がなく商品の購入を行うことができるとともに、必要な情報を自動販売機４から得ることができる。しかも商品の購入に際して特典機能付きコンテンツ情報としてルーレットを起動させ、当たった場合には特典商品を提供するので、利用者に商品の販売購入を喚起することができ、商品の販売機会の増大化を図ることができる。
【０１３２】
尚、上記通信処理においてルーレットが起動された結果「はずれ」となった場合には、はずれ情報が制御部４３に送信されることとなる。かかるはずれ情報を受信した制御部４３は、長距離通信部３２を通じて携帯端末機器１００に対して無線ＬＡＮによる通信解除を行い、更に今回の無線接続情報に含まれるパスワードを異なるものに変更して新たな無線接続情報をメモリ６３に記憶させることになる。
【０１３３】
＜実施の形態５＞
図１３は、本発明の実施の形態５である通信装置が適用された自動販売機の制御系を模式的に示すブロック図である。尚、上述した実施の形態１〜４と同一の構成を有するものには同一の符号を付してその説明を適宜省略する。
【０１３４】
ここで本実施の形態５である通信装置が適用された自動販売機５は、自販機制御部３０、近距離通信部３１、長距離通信部３２及び制御部４４を備えている。
【０１３５】
自販機制御部３０は、図示せぬ記憶部に記憶されたプログラムやデータにしたがって自動販売機５の販売動作を統括して制御するものである。
【０１３６】
近距離通信部３１は、ＮＦＣ（Near  Field  Communication）等の近距離無線通信規格に対応した無線通信装置であり、例えばＦｅｌｉｃａ等の非接触ＩＣカードとアンテナ３２ａとにより構成されている。
【０１３７】
長距離通信部３２は、近距離通信部３１よりも遠距離かつ高速な無線通信を行うことができるもので、例えばＩＥＥＥ８０２．１１ａ／ｂ／ｇの通信規格に対応する無線ＬＡＮとアンテナ３２ａとにより構成されている。
【０１３８】
制御部４４は、自販機制御部３０とデータの送受信が可能な態様で電気的に接続されているとともに、近距離通信部３１及び長距離通信部３２とも電気的に接続されている。この制御部４４は、近距離通信部３１及び長距離通信部３２と通信装置を構成しており、メモリ６４に記憶された各種処理プログラムを実行するＣＰＵ等に実現され、通信設定制御部５１を備えている。通信設定制御部５１は、近距離通信部３１や長距離通信部３２を通じての通信処理を制御するものである。
【０１３９】
尚、本実施の形態５である通信装置の通信対象となる外部通信装置は、例えばスマートフォン等の多機能の携帯端末機器１００であり、実施の形態１〜４と異なり、いわゆるルートマンと称されるようなルート作業者等の管理者が保持するものである。
【０１４０】
図１４は、上述した自動販売機５が実施する近距離通信及び長距離通信の処理を示すシーケンス図である。以下、この図１４を参照しながら、本発明の実施の形態５である自動販売機５の通信装置の通信処理について説明する。
【０１４１】
予め記憶されている所定のアプリケーションソフトが起動された携帯端末機器１００が近距離通信部３１の通信可能領域に保持されると（ＳＱ５０１，ＳＱ５０２）、制御部４４の通信設定制御部５１は、近距離通信部３１を通じて携帯端末機器１００と相互認証処理を行う（ＳＱ５０３）。相互認証が成立して携帯端末機器１００より無線接続情報が要求されると（ＳＱ５０４）、制御部４４の通信設定制御部５１は、無線接続情報を携帯端末機器１００に送信する（ＳＱ５０５）。ここで無線接続情報は、自動販売機５と携帯端末機器１００との間で無線ＬＡＮによる無線通信を行う場合に必要とされる情報で、ＳＳＩＤやパスワード（秘匿性の保持に用いる秘密鍵）等が含まれている。
【０１４２】
このようにして自動販売機５の制御部４４と携帯端末機器１００との間で近距離通信が行われた後、次のようにして長距離通信が行われる。
【０１４３】
携帯端末機器１００において取得したＳＳＩＤやパスワードの入力操作が行われることにより、携帯端末機器１００より長距離通信接続要求（無線ＬＡＮによる回線接続要求）が与えられると（ＳＱ５０６）、制御部４４の通信設定制御部５１は、長距離通信部３２を通じて携帯端末機器１００と相互認証処理を行う（ＳＱ５０７）。相互認証が成立すると、自動販売機５と携帯端末機器１００との間で無線ＬＡＮを利用した相互通信可能な状態になる（ＳＱ５０８）。これらの相互認証により制御部４４は、携帯端末機器１００の保有者がルート作業者等の管理者であると認識することができる。
【０１４４】
そして、携帯端末機器１００より精算情報要求が送信されると（ＳＱ５０９）、制御部４４は、自販機制御部３０に精算情報依頼を送信する（ＳＱ５１０）。
【０１４５】
精算情報依頼が与えられた自販機制御部３０は、記憶部に記憶されている精算情報を読み出してこれを制御部４４に対して送信する（ＳＱ５１１）。
【０１４６】
自販機制御部３０より精算情報を受信した制御部４４の通信設定制御部５１は、長距離通信部３２を通じて精算情報を送信する（ＳＱ５１２）。この精算情報を受信した携帯端末機器１００では、かかる精算情報を記憶する（ＳＱ５１３）。
【０１４７】
携帯端末機器１００に対して精算情報を送信した制御部４４の通信設定制御部５１は、長距離通信部３２を通じて携帯端末機器１００に対して無線ＬＡＮによる通信解除を行い（ＳＱ５１４）、これにより、自動販売機５と携帯端末機器１００との間の長距離通信が終了する。また、通信解除を行った制御部４４の通信設定制御部５１は、今回の無線接続情報に含まれるパスワードを異なるものに変更し（ＳＱ５１５）、新たな無線接続情報をメモリ６４に記憶させる。これにより、次回与えられる無線接続情報と今回の無線接続情報とはパスワードが異なるものとなる。
【０１４８】
以上説明したように、本実施の形態５である自動販売機５の通信装置によれば、制御部４４及び近距離通信部３１が、所定のアプリケーションソフトが起動された状態の携帯端末機器１００が通信可能領域に保持された場合に、該携帯端末機器１００に対して無線ＬＡＮによる無線通信を行うための無線接続情報を与え、制御部４４及び長距離通信部３２が、無線接続情報を取得した携帯端末機器１００との間で無線ＬＡＮによる無線通信を行うようにしたので、管理者にとっては携帯端末機器１００を近距離通信部３１の通信可能領域に保持させる（翳す）だけで、携帯端末機器１００に当該自動販売機５との無線ＬＡＮによる無線通信を行うための無線接続情報を取得することができる。そして、取得した無線接続情報の入力操作により、該当する自動販売機５との間で無線ＬＡＮによる無線通信を行うことができる。また、無線接続情報には、パスワードが含まれているので不正行為を招来する虞れがない。従って、不正行為を招来することなく、簡単な手続で携帯端末機器１００と無線通信を行うことができる。
【０１４９】
また、上記自動販売機５の通信装置によれば、無線ＬＡＮによる無線通信が終了すると、無線接続情報に含まれるパスワードを異なるものに変更して新たな無線接続情報をメモリ６４に記憶させているので、制御部４４の通信設定制御部５１は、近距離通信部３１とともに、通信可能領域に保持された携帯端末機器１００に対し、前回与えた無線接続情報とはパスワードが異なる新たな無線接続情報を与える一方、長距離通信部３２とともに、新たな無線接続情報を取得した携帯端末機器１００との間で無線通信を行うこととなり、これにより無線ＬＡＮによる無線通信を行う度に無線接続情報を変更している。従って、より顕著に不正行為の防止を図ることができる。
【０１５０】
また、上記自動販売機５の通信装置によれば、無線ＬＡＮによる無線通信を行うことで、管理者は携帯端末機器１００を手に持つ必要がなく商品の補充作業等を行うことができるとともに、精算情報以外の商品の販売に関する情報を自動販売機５から得ることもでき、補充作業等の利便性を向上させることができる。
【０１５１】
以上、本発明の好適な実施の形態１〜５について説明したが、本発明はこれらに限定されるものではなく、種々の変更を行うことができる。
【０１５２】
上述した実施の形態１〜３においては、外部通信装置（携帯端末機器１００）から被特典情報（ポイント情報、会員情報、クーポン情報）が与えられた場合に、商品を割引価格にて販売していたが、本発明においては商品を無償にて販売してもよい。
【０１５３】
上述した実施の形態１〜４においては、商品の販売動作が行われた後にポイント加算情報の送信等の予め決められた後処理を行ってから外部通信装置（携帯端末機器１００）との無線通信を解除していたが、本発明においては、このような後処理を行うことなく、少なくとも商品の販売動作が行われた後に外部通信装置との無線通信を解除してもよいし、無線ＬＡＮによる通信が行われてから予め設定された時間が経過した後に該通信を解除するようにしてもよい。
【０１５４】
上述した実施の形態１〜４においては、商品の販売動作が行われた後にポイント加算情報の送信等の予め決められた後処理を行ってから外部通信装置（携帯端末機器１００）との無線通信を解除していたが、本発明においては、商品の販売動作が行われてから予め設定された時間が経過した場合に、外部通信装置との無線通信を解除するようにしてもよい。ここで設定された時間は、商品の払い出し後におけるポイント加算情報の送信等の後処理を行うのに十分な長さを有した時間である。
【０１５５】
上述した実施の形態５においては、商品の販売に関する情報の一例である精算情報を外部通信装置（携帯端末機器１００）に与えた場合に、該外部通信装置との無線通信を解除していたが、本発明においては、扉体（外扉１６ｂ）が開移動させられることにより自動販売機本体（本体キャビネット１１）の前面開口が開状態であることが検出手段により検出された時点から予め設定された時間が経過した場合に、外部通信装置との無線通信を解除するようにしてもよい。ここで予め設定された時間は、管理者が商品補充等の様々な作業を行うのに十分な長さを有した時間である。
【０１５６】
上述した実施の形態５においては、商品の販売に関する情報の一例である精算情報を外部通信装置（携帯端末機器１００）に与えた場合に、該外部通信装置との無線通信を解除していたが、本発明においては、扉体（外扉１６ｂ）が開閉移動させられることにより自動販売機本体（本体キャビネット１１）の前面開口が開状態から閉状態になったことが検出手段により検出された場合に、つまり管理者の商品補充等の作業が終了した場合に、外部通信装置との無線通信を解除するようにしてもよい。
【符号の説明】
【０１５７】
１〜５  自動販売機
１１  本体キャビネット
３０  自販機制御部
３１  近距離通信部
３２  長距離通信部
４０〜４４  制御部
５１  通信設定制御部
５２〜５５  特典管理制御部
６０〜６４  メモリ
１００  携帯端末機器
１３１  端末近距離通信部
１３２  端末長距離通信部
１４０  端末制御部
【図１】
2014096090.tif 000003
【図２】
2014096090.tif 000004
【図３】
2014096090.tif 000005
【図４】
2014096090.tif 000006
【図５】
2014096090.tif 000007
【図６】
2014096090.tif 000008
【図７】
2014096090.tif 000009
【図８】
2014096090.tif 000010
【図９】
2014096090.tif 000011
【図１０】
2014096090.tif 000012
【図１１】
2014096090.tif 000013
【図１２】
2014096090.tif 000014
【図１３】
2014096090.tif 000015
【図１４】
2014096090.tif 000016